(57)【要約】      （修正有）【課題】計量した内容物のみを確実に注出できる定量注出器を提供する。【解決手段】  容器１内の内容物を取り入れる窓孔２ａを有し容器の口部１ａに固定保持する外筒２と、外筒２の内側に回動自在に挿入、嵌合し外筒２の窓孔２ａとの連通を可能とする窓孔３ａを有する内筒３と、内筒３の一端につながり内筒３及び外筒２と協働してその内側に貯溜空間Ｍを形成するとともに貯留空間Ｍ内の内容物を先端開口４ａを通して注出する注出ヘッド４とを備え、注出ヘッド４の先端開口４ａに、先端開口４ａを通り抜け外部に向けて突出する頭部５ａを有しその基部５ｂを先端開口４ａの内側端縁に接触させて先端開口４ａを閉塞状態に維持する一方、頭部５ｂを貯溜空間Ｍに向けて押し込んで先端開口４ａを開放する弁体５を設ける。【選択図】図１
2006036317.tif 000002
【特許請求の範囲】
【請求項１】
容器内の内容物の定量取り入れを可能とする貯溜空間を備え、先端開口を通して貯溜空間内の内容物を注出する定量注出器であって、
容器内の内容物を取り入れる窓孔を有し容器の口部に固定保持する外筒と、この外筒の内側に回動自在に挿入、嵌合し外筒の窓孔との連通を可能とする窓孔を有する内筒と、この内筒の一端につながり該内筒及び外筒と協働してその内側に貯溜空間を形成するとともに該貯留空間内の内容物を先端開口を通して注出する注出ヘッドとを備え、
前記注出ヘッドの先端開口に、該先端開口を通り抜け外部に向けて突出する頭部を有しその基部を先端開口の内側端縁に接触させて該先端開口を閉塞状態に維持する一方、該頭部を貯溜空間に向けて押し込んで該先端開口を開放する弁体を設けたことを特徴とする定量注出器。
【請求項２】
前記貯溜空間内に、弁体を支持する弾性部材を配置する請求項１記載の定量注出器。
【請求項３】
前記注出ヘッドを覆い隠して外筒のベースにねじ止めし、その回動にて、注出ヘッドを内筒とともに供回りさせて外筒の窓孔と内筒の窓孔を連通させるカバーを有する請求項１記載の定量注出器。
【発明の詳細な説明】
【技術分野】
【０００１】
本発明は、容器内の内容物を一回使用する分だけ取り出すのに好適な定量注出器に関するものである。
【背景技術】
【０００２】
育毛剤の如き薬液等、一回の使用量が定められたものは、容器内の内容物を取り出すに際しては計量する必要があり、従来は、中栓に配置された円筒部を適宜上下動させて第一弁及び第二弁を交互に開閉することで容器内の内容物を計量筒部に流し込み、該計量筒部内の内容物を注出口を通して外部に排出するようにしていた（特許文献１参照）。
【特許文献１】特開２００２−３３７９１０号公報
【０００３】
ところで、従来のこの種の定量注出容器は、計量に係わる内容物を注出している最中に不用意な力が作用すると容器と計量筒部とを隔絶する弁が簡単にスライドしてしまうこともあって、この場合、計量筒部内に容器内の内容物が流れ込んでしまい定量注出ができないおそれがあった。
【発明の開示】
【発明が解決しようとする課題】
【０００４】
本発明の課題は簡便な操作のもとで計量を行なうことが可能で、計量に係わる内容物のみを確実に注出できる新規な定量注出器を提案するところにある。
【課題を解決するための手段】
【０００５】
本発明は、容器内の内容物の定量取り入れを可能とする貯溜空間を備え、先端開口を通して貯溜空間内の内容物を注出する定量注出器であって、
容器内の内容物を取り入れる窓孔を有し容器の口部に固定保持する外筒と、この外筒の内側に回動自在に挿入、嵌合し外筒の窓孔との連通を可能とする窓孔を有する内筒と、この内筒の一端につながり該内筒及び外筒と協働してその内側に貯溜空間を形成するとともに該貯留空間内の内容物を先端開口を通して注出する注出ヘッドとを備え、
前記注出ヘッドの先端開口に、該先端開口を通り抜け外部に向けて突出する頭部を有しその基部を先端開口の内側端縁に接触させて該先端開口を閉塞状態に維持する一方、該頭部を貯溜空間に向けて押し込んで該先端開口を開放する弁体を設けたことを特徴とする定量注出器である。
【０００６】
上記の構成になる定量注出器においては、前記貯溜空間内に、弁体を支持する弾性部材を配置することができる。
【０００７】
また、上記の注出器においては、前記注出ヘッドを覆い隠して外筒のベースにねじ止めし、その回動にて、注出ヘッドを内筒とともに供回りさせて外筒の窓孔と内筒の窓孔を連通させるカバーを配置するのが好ましい。
【発明の効果】
【０００８】
注出ヘッドを回転させて外筒と内筒の窓孔を相互に合致、連通させてその窓孔を通して容器内の内容物を貯溜空間内に取り入れることで簡単に計量が行なえ、注出ヘッドの回転にて外筒の窓孔と内筒の窓孔を相互にずらし（不一致）て外筒の窓孔を閉じることで貯溜空間内への流れ込みを防止する。
【０００９】
注出ヘッドの先端開口に弾性支持した弁体により計量に係わる内容物の適量注出が可能となる。
【発明を実施するための最良の形態】
【００１０】
以下、図面を用いて本発明をより具体的に説明する。
図１（ａ）（ｂ）は本発明にしたがう定量注出器を容器の口部に装着した例で示したものであり、図１（ａ）は平面図であり、図１（ｂ）は側面を断面で示した図である。
【００１１】
図における１は内容物を収納する容器、２は外筒である。この外筒２はその側壁に容器１内の内容物を取り入れる窓孔２ａと、容器１の口部１ａにねじ止め又はアンダーカット嵌合により固定される基部２ｂを有する。
【００１２】
また、３は外筒２の内側に抜き出し不能、回転自在に挿入され、密に嵌合する有底筒状の内筒である。この内筒３は底部に外筒２とアンダーカット等の手段により嵌合する突出部を有するとともに、側壁には外筒２の窓孔２ａとの連通を可能とする窓孔３ａを有している。
【００１３】
４は内筒３の一端（露出端）に回動不能につながり該内筒３及び外筒２と協働してその内側に貯溜空間Ｍを形成する注出ヘッドである。この注出ヘッド４はその先端に貯溜空間Ｍ内の内容物の注出を可能とする先端開口４ａを有している。
【００１４】
５は注出ヘッド４の先端開口４ａに設けられた弁体、６は弁体５と一体成形されそれを貯溜空間Ｍ内（内筒２の内側段部等を利用する）にて支持する弾性部材（ばね等）、そして、７は注出器全体を覆うカバーである。
【００１５】
弁体５は先端開口４ａを通り抜け外部に向けて突出する溝付きの頭部５ａを有しその基部５ｂを弾性部材６の反発力により先端開口４ａの内側端縁に押圧、接触させて該先端開口４ａを閉塞状態に維持する一方、該頭部５ａを弾性部材６の反発力に抗して貯溜空間Ｍに向けて押し込むことで溝部を介して先端開口４ａを開放することができるようになっている。なお、頭部５ａに形成される溝は一本以上形成されていればよく、その数は任意であり、内容物の粘度や吐出量等に合わせて本数や大きさ等が適宜に設定される。
【００１６】
外筒２の先端で注出ヘッド４を回転させると該注出ヘッド４につながる内筒３は外筒２の内側で回動することになり、この回動にて外筒２の窓孔２ａと内筒３の窓孔３ａを相互に合致、連通させる。
【００１７】
この状態で図２に示す如く容器を反転させると、窓孔２ａ、３ａを通して容器１内の内容物が貯溜空間Ｍ内に取り込まれ、これにより内容物の計量がなされる。
【００１８】
計量後に注出ヘッド４を再度回転させて内筒３の窓孔３ａをずらして外筒２の窓孔２ａを閉じると貯溜空間Ｍは密閉されることとなり、容器１がどのような姿勢にあろとも貯溜空間Ｍ内には所定量の内容物が保持される。
【００１９】
貯溜空間Ｍ内の内容物を注出するには、図３に示すように、注出ヘッド４の先端開口４ａから突出する弁体５の頭部５ａを塗布すべき面に押しつける。そうすると、弁体５の基部５ｂが先端開口４ａの内側端縁から離反して該先端開口４ａが開放され溝部を介して貯溜空間Ｍ内の内容物が注出されることとなる。
【００２０】
弁体５の頭部５ａを塗布すべき面から離すと弾性部材６の復元力により基部５ｂが先端開口４ａの内側端縁にすぐさま接触して内容物の注出が停止する。
【００２１】
注出ヘッド４と内筒３とをつなぐ手段としては具体的に、リブとこのリブに係合する溝部（スプライン等）を適用することができるが、内筒３を確実に回動させることができるものであればリブと溝部を利用したものには限定されない。
【００２２】
また、弁体５の頭部５ａは、内容物を効率良く注出するために外径を小さくしておくこともできる。弁体５と弾性部材６は一体成形したものとして説明したが、別体ものとして構成してもよい。
【００２３】
外筒２の窓孔２ａはそれが開状態にあるか、閉状態にあるかを把握しやすくするため、開閉状態のそれぞれで注出ヘッド４の回転を停止するストッパーを設けるとともに、注出ヘッド４の外表面にはそれを明示するマークを付することができる。本実施例では、図１（ａ）に示したように、窓孔２ａ、３ａの連通位置（計量時）、非連通時（注出時）を外部より目視可能とするため、外筒２の側壁より突出するフランジ部には計量、注出等の文字を、また、注出ヘッド４の側壁にはそれに適合するマークを、成形、印刷あるいはホットスタンプ等の方法により設ける。
【００２４】
図４（ａ）（ｂ）は本発明にしたがう他の実施の形態を示した図である。
この例は、注出ヘッド４を覆い隠して外筒２の基部２ｂにねじ止めするカバー８を設けた構造のものである。このカバー８は、その内側に注出ヘッド４を取り囲む環状体８ａを備えている。
【００２５】
環状体８ａはその内壁面に容器の軸心に沿う向きに少なくとも１本の縦溝８ａ１を有しており、注出ヘッド４には該縦溝８ａ１に嵌まり込む凸部４ｂが設けられており、カバー８を回転させると注出ヘッド４が内筒３とともに回動させることができるようになっている。なお、縦溝８ａ１と凸部４ｂとの関係は、環状体８ａに凸部を設け、注出ヘッド４に溝部を設けた逆構成でもよい。
【００２６】
かかる構成になる注出器は、図５に示すように容器１を反転させたのち、カバー８を回転させることによって内筒３を注出ヘッド４を介して回動させるもので、内筒３の窓孔３ａが外筒２の窓孔２ａに合致、連通した時点で容器１内の内容物が所定の量だけ貯溜空間Ｍ内に取り入れられる。
【００２７】
カバー８をさらに回転させると内筒３の窓孔３ａがずれていき、外筒２の窓孔２ａは閉じられるとともに図６の如く該カバー８が注出ヘッド４から外れることになり、弁体５の頭部５ａを図７に示すように塗布すべき面に押しつけることで内容物の注出が可能となる。
【００２８】
この例の定量注出器は、上掲図１に示したもの比較し、カバー８を回転させることで内容物の計量が行なえるもので、使い勝手がよい利点がある。
【００２９】
図１の例で示した内筒３は、その後端部に底部を設けてその外側の凸部を外筒２の底部に設けた凹部に嵌め込んで軸支し内筒３の回動を容易成らしめるものとして示したが、内筒３は図４に示したように底部を有しないものとして構成することもできる。
【００３０】
また、本発明にしたがう注出器を育毛剤等の薬品類に使用する場合には、図示はしないが、弁体５の頭部５ａに塗布箇所に対して刺激を与える突起部を一体又は別体に形成することも可能である。
【００３１】
本発明の定量注出器は、弾性部材６を含めてその全てを合成樹脂にて成形できるもので、育毛剤等の薬品類の他、化粧料や調味料等の容器に適用可能でありその用途は広範囲にわたる。
【産業上の利用可能性】
【００３２】
計量操作が簡単で計量に係わる内容物のみの注出が可能な定量注出器が提供できる。
【図面の簡単な説明】
【００３３】
【図１】（ａ）（ｂ）は本発明にしたがう定量注出器の実施の形態を示した図であり、（ａ）は平面図、（ｂ）は側面を断面で示した図である。
【図２】図１に示した注出器の計量要領の説明図である。
【図３】図１に示した注出器の使用状態を示した図である。
【図４】（ａ）（ｂ）は本発明にしたがう定量注出器の他の実施の形態を示した図であり、（ａ）は平面図、（ｂ）は側面を断面で示した図である。
【図５】図４に示した注出器の計量要領の説明図である。
【図６】図４に示した注出器の計量後の状態を示した図である。
【図７】図４に示した注出器の使用状況を示した図である。
【符号の説明】
【００３４】
１  容器
１ａ  口部
２  外筒
２ａ  窓孔
２ｂ  基部
３  内筒
３ａ  窓孔
４  注出ヘッド
４ａ  先端開口
４ｂ  凸部
５  弁体
５ａ  頭部
５ｂ  基部
６  弾性部材
７  カバー
８  カバー
８ａ  環状体
【図１】
2006036317.tif 000003
【図２】
2006036317.tif 000004
【図３】
2006036317.tif 000005
【図４】
2006036317.tif 000006
【図５】
2006036317.tif 000007
【図６】
2006036317.tif 000008
【図７】
2006036317.tif 000009